(57)【要約】 【課題】  「カム送り」を極力防御すること。錠箱内の錠機構を構成する部材や部品に悪影響を与えないこと。硬質防御板が容易に落下しないこと。【解決手段】  縦長状の錠箱Ｘの幅広側壁に被係合部を有する下方の硬質防御板２１と、前記被係合部に係合する係合部を有する上方の硬質防御板２２とを、それぞれ複数本の防御板用固着手段２７を介して添設固定したことを特徴とする扉用錠箱。【選択図】  図２
2005146508.tif 000002
【特許請求の範囲】
【請求項１】
縦長状の錠箱Ｘの幅広側壁に被係合部を有する下方の硬質防御板２１と、前記被係合部に係合する係合部を有する上方の硬質防御板２２とを、それぞれ複数本の防御板用固着手段２７を介して添設固定したことを特徴とする扉用錠箱。
【請求項２】
請求項１に於いて、下方の硬質防御板２１と上方の硬質防御板２２は、錠箱Ｘの少なくとも一つの幅広側壁に装着され、被係合部と係合部の係合関係は、パズル式に互いに嵌り合っていることを特徴とする扉用錠箱。
【請求項３】
請求項１に於いて、硬質防御板は端面Ｌ型状に形成され、錠箱Ｘの幅広側壁に添設される幅広側壁部と、該幅広側壁部の一端部に直交して連設し、かつ、錠箱Ｘの後壁１ａに添設される縦長側壁部とから成ることを特徴とする扉用錠箱。
【請求項４】
請求項１に於いて、下方の硬質防御板２１と上方の硬質防御板２２は、錠箱Ｘのケース身とケース蓋の両方にそれぞれ設けられていることを特徴とする扉用錠箱。
【請求項５】
請求項１に於いて、錠箱Ｘの幅広側壁に形成された複数個のメネジ小孔１２は、硬質防御板２１．２２の固着手段２７用の各貫通小孔２６の位置に対応する反面、ケース身に対するケース蓋２用固着手段２の位置とは異なる位置に独自に形成されていることを特徴とする扉用錠箱。
【請求項６】
請求項１に於いて、上下に二分割されたオス防御板２２とメス防御板２１の高さ割合は、略１：１ないし略１：１．５の割合であることを特徴とする扉用錠箱。
【発明の詳細な説明】
【技術分野】
【０００１】
本発明は、扉用錠箱に関し、特に建物の扉に取付けられる縦長状の扉用錠箱に関する。
【背景技術】
【０００２】
特許文献１に記載の錠構造は、泥棒が挟み部を有するプライヤーを用い、化粧リングと共に、固定筒及びシリンダー錠を無理やり「もぎ取る」ことを防止している。
【０００３】
しかしながら、近年、泥棒の手口が悪化し、超硬ドリル、超硬ホールソーなどの切削工具を用い、シリンダーの外筒体の周縁部、扉の所要箇所、錠箱の施・解錠機構をカバーする幅広側壁等にそれぞれ攻撃を加えて適当な孔を開け、かつ、該孔を利用して七つ道具を操作し、デッドカムの駆動腕を解錠方向へと回転させる「カム送り」事件が発生している。
【０００４】
そこで、このような「カム送り」ケースの場合には、シリンダーのもぎ取り対策のみでは必ずしも万全ではなく、もっと、別の観点から錠前を保護する対策を講じる必要がある。
【特許文献１】特開２００３−１２００８３公報
【発明の開示】
【発明が解決しようとする課題】
【０００５】
本発明の第１の目的は、泥棒が超硬ドリル、超硬ホールソーを用いて扉の外壁面に穴を開けて錠前を攻撃してきた場合にも防御し得る錠箱を提供することである。これにより、「カム送り」を極力防御することができる。第２の目的は、縦長状の錠箱内の錠機構を構成する部材や部品に悪影響を与える恐れがないように硬質防御板を添設固定することである。第３の目的は、複数本の防御板用固着手段を介して縦長状の錠箱の幅広側壁に上下に分割された硬質防御板を簡単に添設固定することができる共に、カム送りを防止できる範囲を確実に防御することができることである。第４の目的は、硬質防御板が扉の間隙内で外方向に傾いても、容易に落下しないことである。その他は付随的な目的である。
【課題を解決するための手段】
【０００６】
本発明の扉用錠箱は、縦長状の錠箱Ｘの幅広側壁に被係合部を有する下方の硬質防御板２１と、前記被係合部に係合する係合部を有する上方の硬質防御板２２とを、それぞれ複数本の防御板用固着手段２７を介して添設固定したことを特徴とする。
【０００７】
上記構成に於いて、下方の硬質防御板２１と上方の硬質防御板２２は、錠箱Ｘの少なくとも一つの幅広側壁に装着され、被係合部と係合部の係合関係は、パズル式に互いに嵌り合っていることを特徴とする。また、硬質防御板は端面Ｌ型状に形成され、錠箱Ｘの幅広側壁に添設される幅広側壁部と、該幅広側壁部の一端部に直交して連設し、かつ、錠箱Ｘの後壁１ａに添設される縦長側壁部とから成ることを特徴とする。また、下方の硬質防御板２１と上方の硬質防御板２２は、錠箱Ｘのケース身とケース蓋の両方にそれぞれ設けられていることを特徴とする。また、錠箱Ｘの幅広側壁に形成された複数個のメネジ小孔１２は、硬質防御板２１．２２の固着手段２７用の各貫通小孔２６の位置に対応する反面、ケース身に対するケース蓋２用固着手段２の位置とは異なる位置に独自に形成されていることを特徴とする。さらに、上下に二分割されたオス防御板２２とメス防御板２１の高さ割合は、略１：１ないし略１：１．５の割合であることを特徴とする。
【発明の効果】
【０００８】
（１）縦長状の錠箱に対して、硬質防御板は、適宜の長さ割合で上下に分割されているので、下方の硬質防御板、または上方の硬質防御板は、扉の間隙内で外方向に反らない。したがって、錠箱内の錠機構を構成する部材や部品に悪影響を与えない。
【０００９】
（２）上下の両板は、一方に被係合部を、他方に該被係合部に係合する係合部をそれぞれ有しているから、位置合わせが容易である。したがって、複数本の防御板用固着手段を介して縦長状錠箱の幅広側壁に簡単に添設固定することができる。また上下の両板を一体的に組み合わせることにより、カム送りを防止できる範囲を確実に防御することができる。
【００１０】
（３）請求項２に記載の発明の場合、上方または下方の硬質防御板２１．２２は、一組または複数組の係合部と被係合部が一体的に結合しているので、扉の間隙内で外方向に傾いても、容易に落下しない。
【００１１】
（４）請求項３又は請求項４に記載の発明は、錠箱の垂直側壁を全面的に防御することができる。また、扉の使用態様（内外壁面のいずれかを外壁面として使用することができる意味）に応じて錠箱を使用することができる。
【００１２】
（５）請求項５に記載の発明の場合、分割型硬質防御板及びケース蓋が一緒外される懸念がない。
【発明を実施するための最良の形態】
【００１３】
以下、図１乃至図６を参照にして本発明の最良と思われる実施の形態について説明する。
【００１４】
（１）錠箱Ｘ
Ｘは縦長状の錠箱で、この錠箱Ｘは、ケース身１と、このケース身１に複数本の固着手段２を介して結合するケース蓋３とから成る。ケース身１は、縦長状の取付け板４、この取付け板４の内壁面に固定された介在板５、取付け板４の外壁面に固定されるフロント６をそれぞれ有する。フロント６、介在板５、取付け板４をそれぞれ固着する固着具や錠前の詳細な施錠機構は本発明に直接関係のないので割愛する。
【００１５】
７は取付け板４並びにフロント６から出入りできるように錠箱１に横設されたデッドボルトで、このデッドボルト７は、窓部８、ガイド軸９などに案内される。デッドボルト７は、図示しないストライクと係合する先端部、前記ガイド軸９と係合する水平長孔を有する中間部、デッドカム１０と係合する後端部などを有する。
【００１６】
１１はケース身１の内壁面に固定的に設けられた複数本のメネジ支柱で、これらのメネジ支柱１１には、前述した蓋用の複数本の固着手段２がそれぞれ螺合する。したがって、ケース蓋３は、蓋貫通小孔(符号略)及び蓋用固着手段２を介してケース身１に固着される。
【００１７】
ここで、図１及び図２を参照にして蓋用固着手段２の位置を説明する。本実施例では、錠箱Ｘが縦長状に形成されているので、合計６本の固着手段２を用いている。しかして、２本は錠箱Ｘの下部、残りの４本は錠箱Ｘの中心部と上部側にそれぞれ位置している。固着手段２の固着位置は、後述する分割型硬質防御板用の固着手段のそれ(固着位置)とは異なっている。
【００１８】
ところで、複数本のメネジ支柱１１は、ケース身１の内壁面に突出形成されているから、ケース身１には、当然のことながら蓋固着手段２用の貫通小孔は形成されていない。しかしながら、本実施例では、ケース蓋３のみならず、ケース身１にも分割型の硬質防御板を複数枚（例えば合計４枚）固定的に添設固定する実施例なので、ケース身１の幅広側壁には、硬質防御板を添設固定するための固着手段用取付け孔が形成されている。そして、ケース身１及びケース蓋３に形成された硬質防御板用の各取付け孔１２は、本実施例では共にメネジ小孔なので、説明の便宜上、同一の符号１２を付す。
【００１９】
しかして、ケース身１及びケース蓋３の複数個のメネジ小孔１２は、後述する分割型硬質防御板２１．２２の固着手段２７用の各貫通小孔２６の位置に対応する反面、ケース身１に対するケース蓋３用固着手段２の位置とは異なる位置に独自に形成されている。つまり、分割型硬質防御板添設用の各メネジ小孔１２は、蓋固着手段２用(併用)ではなく、独自にそれぞれ形成されている。その理由は、泥棒に蓋固着手段２を外された場合に分割型硬質防御板２１．２２及びケース蓋１が一緒外される懸念があるからである。
【００２０】
次に、符号１３は、ケース身１並びにケース蓋３の内壁面にそれぞれカシメ固定された受け座（ケース蓋側の受け座は図示を省略）で、これらの受け座１３の中央部には、円形の嵌合孔を有する嵌合部が突出形成されている。
【００２１】
しかして、受け座１３の嵌合孔には、前述したデッドカム１０の筒状係合部が回動可能に嵌合する。デッドカム１０は筒状係合部から半径方向に延びる駆動腕１４を有しており、該駆動腕１４はデッドボルト７の後端部に係合している。デッドカム７は、合鍵の操作によって作動するシリンダーまたはサムターンの駆動力により回転する。これによりデッドボルト７は出没する。なお、シリンダー及びサムターンは省略する。
【００２２】
ここで、図２を参照にしてケース身１及びケース蓋３の幅広側壁に形成されたシリンダー用嵌合孔１５について説明する。なお、シリンダーは扉の外壁面に対応する側の嵌合孔１５に選択的に取付けられる。普通一般に、錠箱Ｘのケース身１及びケース蓋３の幅広側壁の適宜部位には、シリンダー用又はサムターン用の嵌合孔１５、１５が対向形成されている。本実施例では、錠箱Ｘの中心部よりも後壁１ａ寄りで、かつ、中心部よりも下方の部位にそれぞれ形成されている。これらの嵌合孔１５、１５は、外観上、「ちょうちん」の輪郭形状に形成され、いずれか一方の嵌合孔１５には、シリンダー１６の外筒端部が装着する。
【００２３】
ところで、合鍵を操作すると、シリンダーの出駆動軸と係合するデッドカム１０は回転し、その駆動腕１４が、例えば図１の矢印方向（時計方向）に回転するから、デッドボルト７は矢印方向（施錠方向）へと突出する。一方、駆動腕１４が逆方向(反時計方向)に回転すると、いわゆる解錠状態となる。
【００２４】
したがって、合鍵がない場合に於いて、泥棒が図示しない切削工具を用い、扉の所要箇所及び錠箱１の幅広側壁(特に錠前の心臓部分)にそれぞれ攻撃を加えて切削破壊(孔を開け)し、かつ、七つ道具を用いて錠前の心臓部分を操作する恐れがある。
そこで、本発明は、デッドボルト７の戻し（カム送り、解錠方向への移動）を防止するために、図２、図３などで示すような分割型の複数枚の硬質防御板を錠箱Ｘの少なくとも幅広側壁の外壁面に固定的に添設した。
【００２５】
（２）分割型硬質防御板２１．２２
分割型硬質防御板２１．２２は、それぞれ炭素鋼を焼き入れ処理して端面Ｌ型状に形成されている。図２、図３などで示すように、分割型硬質防御板２１．２２は、本実施例では、合計４枚存在する。
【００２６】
すなわち、図２を参照にして説明すると、ケース蓋３側にそれぞれ添設固定される下方のメス防御板２１と、これに係合する上方のオス防御板２２と、一方、ケー身１側にそれぞれ添設固定される下方のメス防御板２１と、これに係合する上方のオス防御板２２である。分割型硬質防御板２１．２２は、いわば４分割のパズル片である。合計４枚の防御板２１．２２は、錠箱Ｘのケース身１の後壁１ａを基準にすると、左右対象である。したがって、ここではケース蓋３側の防御板２１．２２を説明し、ケース身１側のそれらには同一の符号を付して重複する説明を省略する。
【００２７】
さて、ケース蓋３側の下方防御板２１は、錠箱Ｘの幅広側壁に添設される幅広側壁部２１ａと、この幅広側壁部２１ａの一端部に直交して連設し、かつ、錠箱Ｘの後壁１ａに添設される縦長側壁部２１ｂとから成る。これらの両側壁部２１ａ．２１ｂは、上方のオス防御板２２と係合する複数個の被係合部２３．２４を有している。ここでは、幅広側壁部２１ａの上端部中央部寄りの部位に逆Ｔ字型状に切欠された切欠部を「第１被係合部２３」と称し、一方、縦長側壁部２１ｂの上端部にＬ型状に形成された部分を「第２被係合部２４」と称する。
【００２８】
しかして、前記幅広側壁部２１ａの上方隅角部には、錠箱Ｘの嵌合孔１５に対応する開口部２５が形成されている。また、錠箱Ｘの下部側２個の取付け孔１２．１２にそれぞれ対応する２個の貫通小孔２６．２６が形成されている。したがって、下方防御板２１は、前記貫通小孔２６及び取付け孔１２に挿入される複数本（例えば２本）の防御板用固着手段２７を介してケース蓋３の下部側に固定的に装着される。
【００２９】
一方、ケース蓋３側の上方防御板２２も、錠箱Ｘの幅広側壁に添設される幅広側壁部２２ａと、この幅広側壁部２２ａの一端部に直交して連設し、かつ、錠箱Ｘの後壁１ａに添設される縦長側壁部２２ｂとから成る。これらの両側壁部２２ａ．２２ｂは、下方のメス防御板２１と係合する複数個の係合部２３Ａ．２４Ａを有している。ここでは、メス防御板２１の第１・第２被係合部に対応させるために、幅広側壁部２２ａの下端部中央部寄りの部位の逆Ｔ字型状の係合突起を「第１係合部２３Ａ」と称し、一方、縦長側壁部２２ｂの下端部に逆Ｌ型状に形成された部分を「第２係合部２４Ａ」と称する。
【００３０】
しかして、前記幅広側壁部２２ａにもメス防御板２１と同様に錠箱Ｘの上部側３個の取付け孔１２．１２にそれぞれ対応する複数個の貫通小孔２６が形成されている。したがって、上方防御板２２も、前記貫通小孔２６及び取付け孔１２に挿入される複数本（例えば３本）の防御板用固着手段２７を介してケース蓋３の上部側に固定的に装着される。この場合、下方防御板２１の逆Ｔ字型状第１被係合部（切欠部）２３に上方防御板２２の逆Ｔ字型状の第１係合部（係合突起）２３Ａをパズル式に「ぴったりと」嵌め合わせた状態で錠箱Ｘに添設固定する。
【００３１】
ところで、上下に二分割されたオス防御板２２とメス防御板２１の高さ割合は、例えば略１：１ないし略１：１．５の割合であることが望ましい。その理由は、炭素鋼を焼き入れ処理する場合に於いて、板体（例えば下方防御板２１又は上方防御板２２）が長くなるにしたがって反り易くなるからである。
そこで、本実施例では、図４及び図５で示すように、下方のメス防御板２１と、上方のオス防御板２２の高さ割合を、略１：１に設定した。但し、上方のオス防御板２２の高さ寸法は、上端面から下端面に突出形成された係合突起２３の端面まで測っている。
【実施例】
【００３２】
発明の実施の形態で示した実施例に於いて、下方の分割型硬質防御板２１と上方の分割型硬質防御板２２は、錠箱Ｘの少なくとも一つの幅広側壁に略全面的に装着されているが、錠箱の上端部から下端部まで完璧に防御（カバー）する必要はなく、発明の目的との関係で、「カム送りを防止できる範囲を防御」すれば良い。したがって、デッドカム、或いはシリンダーを防御（カバー）することができるように二分割された上下の硬質防御板２１が、少なくとも一組の係合部と被係合部の係合関係で一体的に結合していれば十分である。
【００３３】
また、第１係合部に相当する係合突起２３は、下端面の中央部寄りの部位に下向きＴ字型状に形成されているが、その形状は下向きＴ字型状に限らず、例えばＬ型であっても良い。また、係合突起２３は、単数であるが、複数でも良い。また、防御板２１．２２の第１被係合部２３と第１係合部２３Ａの係合関係は逆であっても良い。
【００３４】
なお、本実施例の下方及び上方の分割型硬質防御板２１．２２は、それぞれ端面Ｌ型状に形成され、第１被係合部２３と第２係合部２３Ａが互いにパズル式に係合しているが、例えば上方または下方の分割型硬質防御板２１．２２の落下を防止する目的を加味した場合には本発明の本質部分と成り得る。
【産業上の利用可能性】
【００３５】
本発明は、建物の扉の錠前用の箱として利用される。
【図面の簡単な説明】
【００３６】
図１乃至図６は本発明の一実施例を示す各説明図。
【図１】本発明の実施の形態を示す概略説明図。
【図２】錠箱と分割型硬質防御板の斜視からの説明図。
【図３】硬質防御板の分解斜視図。
【図４】錠箱のケース蓋側から見た正面図。
【図５】図４を基準にした背面図。
【図６】図４の６−６線拡大概略断面図（内部構造を省略）。
【符号の説明】
【００３７】
Ｘ…錠箱、１…ケース身、２…蓋用固着手段、３…ケース蓋、７…デッドボルト、１０…デッドカム、１４…駆動腕、１５…シリンダー用又はサムターン用の嵌合孔、２１．２２…分割型硬質防御板（２１…下方防御板、２２…上方防御板）、２１ａ．２２ａ…幅広側壁部、２１ｂ．２２ｂ…縦長側壁部、２３…第１被係合部、２３Ａ…第１係合部、２４…第１係合部、２４Ａ…第２係合部、２５…開口部、２６…貫通小孔、２７…防御板用固着手段。
【図１】
2005146508.tif 000003
【図２】
2005146508.tif 000004
【図３】
2005146508.tif 000005
【図４】
2005146508.tif 000006
【図５】
2005146508.tif 000007
【図６】
2005146508.tif 000008